(57)【要約】【課題】靴等に使用される締め付け装置における張力の微調整を可能にすること。【解決手段】組み紐（２６）の少なくとも１本のストランド（３４、３５）に作用するロック装置（３３）であって、該装置（３３）は、組み紐の各ストランドのための通路（４２）を画定する本体（４１）と、組み紐の該ストランドをロック又はロック解除するために通路と協働するロック部材（４３）とを含む。ロック部材は、回転軸（４４）に沿って本体に対して回転自在に取り付けられ、ロック部材は、通路内で組み紐の該ストランドをロックするために備えられたカム表面（５０）を有し、かつレバー（５１）がロック部材に連結されていることにより、ロック部材を組み紐の該ストランドのロック位置又はロック解除位置に向かって移動させ、また、ロック部材（４３）を、自由に滑動させることができる。【選択図】図３
2013146560.tif 000002
【特許請求の範囲】
【請求項１】
組み紐（２６）の少なくとも１本のストランド（３４、３５）に作用するロック装置（３３）であって、組み紐（２６）の各ストランド（３４、３５）のための通路（４２）を画定する本体（４１）と、組み紐（２６）の該ストランド（３４、３５）をロック又はロック解除するために前記通路（４２）と協働するロック部材（４３）とを含むロック装置（３３）において、
前記ロック部材（４３）が、回転軸（４４）に沿って前記本体（４１）に対して回転自在に取り付けられており、前記ロック部材（４３）が、前記通路（４２）内で組み紐（２６）の該ストランド（３４、３５）をロックするために設けられたカム表面（５０）を有し、レバー（５１）が前記ロック部材（４３）に連結されていることにより、カム表面によって組み紐（２６）の該ストランド（３４、３５）と係合させるために前記ロック部材（４３）を組み紐の該ストランドのロック位置に向かって移動させることができ、又は前記ロック部材を、組み紐（２６）の該ストランド（３４、３５）のロック解除位置に向かって移動させることができ、又は前記ロック部材を自由に滑動させることができることを特徴とする、ロック装置。
【請求項２】
前記本体（４１）が、連結面（５２）を有し、継ぎ手（４５）の回転軸（４４）が、前記連結面（５２）に垂直であり、かつ前記通路（４２）が、前記連結面と平行に延在していることを特徴とする請求項１に記載のロック装置（３３）。
【請求項３】
前記本体（４１）が、前記連結面（５２）と、自由面（５５）との間にキャビティ（５４）を画定し、前記通路（４２）が、前記キャビティ（５４）内に位置することを特徴とする請求項１又は２に記載のロック装置（３３）。
【請求項４】
前記通路（４２）が、真っ直ぐであることを特徴とする請求項１乃至３のいずれか１項に記載のロック装置（３３）。
【請求項５】
前記通路（４２）が、組み紐（２６）の２本のストランド（３４、３５）を、前記継ぎ手（４５）の前記回転軸（４４）と並列に案内することを特徴とする請求項１乃至４のいずれか１項に記載のロック装置（３３）。
【請求項６】
前記ロック部材（４３）が、可変半径（ｒ）を有することを特徴とする請求項１乃至５のいずれか１項に記載のロック装置（３３）。
【請求項７】
前記レバー（５１）が、前記継ぎ手（４５）の前記回転軸（４４）に垂直であることを特徴とする請求項１乃至６のいずれか１項に記載のロック装置（３３）。
【請求項８】
前記レバー（５１）及び前記ロック部材（４３）が、一体型部品を形成することを特徴とする請求項１乃至７のいずれか１項に記載のロック装置（３３）。
【請求項９】
前記本体（４１）が、ロック方向で前記レバー（５１）の回転を制限する第１止め具（６１）と、ロック解除方向で前記レバー（５１）の回転を制限する第２止め具（６２）とを画定することを特徴とする請求項１乃至８のいずれか１項に記載のロック装置（３３）。
【請求項１０】
一方の止め具（６１、６２）から他方への回転行程が、７０〜１２０°の角度（α）の値に従ってなされることを特徴とする請求項９に記載のロック装置（３３）。
【請求項１１】
前記レバー（５１）が、前記ロック部材（４３）の最大半径（ｒ）と等しいか、３倍の長さ（Ｒ）を有することを特徴とする請求項１乃至１０のいずれか１項に記載のロック装置（３３）。
【請求項１２】
外底部（２）と、前記底部と一体化された表甲（３）とを含む靴要素（１）であって、組み紐（２６）と、留め具（２７、２８、２９、３０、３１、３２）と、迅速ロック装置（３３）とを含む可逆的締め付け装置（２５）を含み、前記ロック装置（３３）が、組み紐（２６）の少なくとも１本のストランド（３４、３５）に対して作用し、前記ロック装置（３３）が、組み紐（２６）の各ストランド（３４、３５）のための通路（４２）を画定する本体（４１）と、組み紐（２６）の該ストランド（３４、３５）をロック又はロック解除するために前記通路（４２）と協働するロック部材（４３）とを含み、前記ロック部材（４３）が、継ぎ手（４５）により回転軸（４４）に沿って前記本体（４１）に連結された、靴要素（１）において、
前記ロック部材（４３）が、前記継ぎ手（４５）の前記回転軸（４４）に沿って回転自在であり、前記ロック部材（４３）が、前記通路（４２）内で組み紐（２６）の該ストランド（３４、３５）をロックするために設けられたカム表面（５０）を有し、レバー（５１）が、前記ロック部材（４３）に連結されていて、前記ロック部材（４３）を組み紐（２６）の各ストランド（３４、３５）のロック位置又はロック解除位置に向かって移動させることができることを特徴とする靴要素。
【発明の詳細な説明】
【技術分野】
【０００１】
本発明は、ロープ、綱、糸、組み紐等の柔軟なストランドのメカニカルロック装置に関する。
【０００２】
本発明は、特には、靴を締め付けるための靴などの靴要素の組み紐のロックと関係する。従って本発明は、ロック装置を具備した靴要素、又はロック装置を具備した組み紐締め付けシステムにも関係する。
【０００３】
更に、本発明は特にはスポーツの分野に関し、特にスノーサーフィン又はスノーボード、ゲレンデスキー、クロスカントリースキー、インラインスケート又はアイススケート、サイクリング、ハイキング、競歩、その他の靴、並びにこれらの製品又はその部品の締め付け及び／又は圧縮のためのかかるストランドを含むリュックサックのような品物の固定締め付けシステムに関する。
【背景技術】
【０００４】
装置を用いて柔軟なストランドをロックすることは、知られている。
【０００５】
例えば、国際公開第２００７／０５７９２６号パンフレットは、組み紐の少なくとも１本のストランドに作用するロック装置を開示する。この装置は、組み紐の各ストランドのための通路を画定する本体と、組み紐の各ストランドをロック又はロック解除するために通路と協働するロック部材とを含む。各ロック部材は、回転軸の周りに揺動可能に取り付けられ、かつばねによりロックの方向に絶えず推し進められ、締め付けの引張が組み紐のストランドに対して行われる時に引っ込められ、かつ反対方向の応力の際にストランドと噛み合うようになっている。
【０００６】
国際公開第２００７／０５７９２６号パンフレットによる装置は、実際に組み紐の各ストランドの迅速なロック、及び従って靴の締め付けの維持を可能にする限りにおいて満足させる。しかしながら、この装置は、幾つかの不都合な点を有する。
【０００７】
最初に、この装置により締め付け強度を増加方向で調整することは可能であるが、締め付け強度を低減させる方向において容易に調整することは可能でない。実際に、組み紐をそのロック位置から解放することが必要であり、このことは、組み紐を配置し直して改めて締め付ける前に、靴を著しく緩めることとなって現れ得る。靴の締め付けレベルの調整が、必ずしも簡便又は実際的であるとは言えない。
【０００８】
なおも国際公開第２００７／０５７９２６号パンフレットによる装置に関して、組み紐に対する引張による、追求される締め付けレベルと、この引張停止後に実際に得られる締め付けレベルとの間に僅かな差も観察される。実際は、組み紐のロックがロック部材の回転に連関した係止によってなされるので、組み紐の引張応力が消える時、組み紐は僅かに緩む。この回転は、ロック部材のレベルでの組み紐の押し潰し、及び通路内での組み紐の僅かな移動を引き起こす。結果として締め付け強度のわずかな減少が生じ得る。
【０００９】
国際公開第２００７／０５７９２６号パンフレットによる装置に関して、靴の締め付け強度が、使用期間中に減少し得ることが更に観察される。このことは、特に繰り返しの歩行の際の靴の交互の変形に起因する。このことは、靴の様々な領域が時には引っ張られ、時には緩められることを意味する。従って、ロック装置のレベルも含め、組み紐の張力は変動する。組み紐が、ロック装置において大幅に緩められることが、一時的にあり得る。この時点で係止の効果は、消失されるまで減少することがあり、その場合に組み紐を引き留めるために弾性手段を単独で作用させる。しかし組み紐が改めて引っ張られる際に、係止の効果は効き、初期締め付けで生じるような僅かな移動により、組み紐をロックする。従って、使用中に時折締め付けレベルを調整することが必要となる。
【先行技術文献】
【特許文献】
【００１０】
【特許文献１】国際公開第２００７／０５７９２６号パンフレット
【発明の概要】
【００１１】
これに対し、本発明は、組み紐の少なくとも１本のストランド(紐体)に作用するロック装置を改良することを包括的な目的とする。当然の結果として、本発明は、靴要素の締め付けの改良に係る。
【００１２】
本発明は、締め付け強度を減少させる方向において靴の締め付けの調整を容易にすることを特に目的とする。本発明の目的は、ロック装置が作用する時、すなわち引張停止後に、組み紐に対する引張によって得られた締め付けレベルが、維持されるようにすることである。本発明の目的はまた、使用中に靴の締め付けレベルを一定に維持することである。それは、靴の締め付けレベルの調整を簡単、迅速かつ実用的にすることである。
【００１３】
このために、本発明は、組み紐の少なくとも１本のストランドに作用するロック装置であって、組み紐の各ストランドのための通路を画定する本体と、組み紐の各ストランドをロック又はロック解除するために通路と協働するロック部材とを含む装置を提案する。
【００１４】
本発明によるロック装置は、ロック部材が、回転軸に沿って本体に対して回転自在に取り付けられること、ロック部材が、通路内で組み紐の各ストランドをロックするために備えられたカム表面を有すること、及びレバーがロック部材に連結され、カム表面によって組み紐の各ストランドと係合させるためにロック部材を組み紐の各ストランドのロック位置に向かって移動させるか、又はロック部材を、組み紐の各ストランドのロック解除位置に向かって移動させるか、又はロック部材が自由に滑動できることを特徴とする。
【００１５】
ロック装置は、このように構成されて、ロック部材が作用しない時に、２つの対向する方向に沿った通路内での組み紐の各ストランドの自由な移動を可能にする。従って、とりわけ、組み紐の引張力を減少させる方向において容易に調整することが可能である。このことは結局、靴の締め付けの時点で組み紐を引っ張って印加する張力を僅かに減少させることが容易であるということになる。そこから生じる利点は、締め付け強度を減少させる方向において微調節が可能となる。
【００１６】
本発明によるロック装置は、靴の締め付け強度がいかなるものであれ、ロック部材が作用する時に、組み紐の各ストランドを締め付けることを同様に機能とする。換言すると、ロック部材と協働する組み紐の各ストランドは、通路内で安定した位置を保つ。その結果、ロック部材が、各ストランドを通路内にロックする限り、各組み紐の有効長、すなわち靴を締め付ける組み紐の部分が、一定に留まるということになる。そこから生じる利点の中で、引張停止後にロック装置が作用する時、組み紐に対する引張によって得られた締め付けレベルが、維持されることが注目される。靴の締め付けレベルが、自発的に修正する場合を除き、使用中に一定に留まることも観察される。ロック部材は、組み紐に対して常に作用せず、組み紐のロック位置でのみ作用するので、組み紐は、容易にすり減らなくなる。
【００１７】
最後に、靴の締め付けレベルの調整は、簡単、迅速かつ実用的である。
【００１８】
本発明の他の特徴及び利点は、非限定的な実施形態により、本発明がいかにして実施できるかを示す添付図面を参照して、以下に続く記載を用いてより良く理解されるであろう。
【図面の簡単な説明】
【００１９】
【図１】本発明の記載された実施形態による、ロック装置を備えた靴要素の前方斜視図である。
【図２】ロック装置がロック解除位置にある場合の、図１のロック装置の部分的に分解された平面図である。
【図３】ロック装置がロック位置にある場合の、図２に類似した図である。
【図４】図２のＩＶ−ＩＶに沿った断面図である。
【発明を実施するための形態】
【００２０】
図１〜図４を用いて以下に記載する実施形態は、例えばスノーボードの靴に関するものである。しかしながら、本発明は、先に言及したような他の分野にも応用可能である。
【００２１】
図１に示すように、靴要素１は、使用者の足を受け入れるために提供される。知られているように、この要素１は、上靴、すなわち図示しない外部被覆体内に設置されるための内部被覆体である。内部被覆体１及び外部被覆体の結合により靴が形成される。靴要素１又は上靴は、外底部２と、該底部と一体化した表甲３とを含む。上靴は、後端又は踵４と、前端又はつま先５との間で長手方向Ｌに沿って縦に、かつ外側６と、内側７との間で横方向Ｗに沿って横に伸長する。
【００２２】
図示するように、表甲３は、足を覆うために設けられている下部１０と、くるぶし及び場合により、すねを取り囲むために備えられた上部１１とを含む。しかしながら、本発明は、下部のみを含む靴要素、又は上靴を備えた又は備えない靴の外部被覆にも適用される。
【００２３】
記載された第１の実施形態によれば、表甲３は、下部１０の領域にカバー１２と、上部１１の領域に上端１３すなわち自由端とを有する。従って、靴は、外底部２からつま先５の側のカバー１２まで、及び外底部２から踵４の側の上端１３までの高さで伸長する。
【００２４】
上靴１は、ボードの操縦中のすねの傾斜、歩行中の足の良好な伸張、感覚情報の伝達、及び支承又は着地のための衝撃伝達を可能にするように構成される。それ故に、外底部２及び表甲３は、比較的柔軟である。
【００２５】
限定するものではないが、表甲３は、外側６の領域で外底部２に連結された外側腰革１４と、内側７の領域で外底部２に連結された内側腰革１５とを含む。上靴１は、上端１３から前端５に向かって伸長する着用開口部１６を有する。上端の側に、開口部１６は、足を通し、かつ着用後にすねを取り囲むための後部区画１７を有する。後部区画１７から前方に向かって、着用開口部１６は、開口部の大きさ及び着用容積の変動を可能にする前部区画１８を有する。当然に、後部１７及び前部１８区画は、互いに続いている。補足として、上靴１が、外側腰革１４と、内側腰革１５との間で開口部１６の前部区画１８に沿って伸長する舌片１９を含むことが観察される。舌片１９は、つま先５の近傍で、すなわち開口部１６の前限２０で、表甲３の残りの部分と一体化される。この境界２０は、上靴１の長さの１０〜３５％の距離でつま先５から引っ込んで、位置する。
【００２６】
可逆的に締め付けられるために、上靴１は、外側腰革１４及び内側腰革１５の可逆的締め付け装置２５を含む。装置２５は、一例として組み紐２６と、留め具２７、２８、２９、３０、３１、３２と、以下に詳細に示す迅速ロック装置３３とを含む。
【００２７】
限定するものではないが、上靴１は、３つの外側留め具２７、２８、２９と、３つの内側留め具３０、３１、３２とを含む。外側においては、締め付け装置２５は、下部１０に位置する下部留め具２７と、下部１０及び上部１１の境界に位置する中間留め具２８と、自由端１３の近くで上部１１に位置する上部留め具２９とを含む。同じように、内側においては、締め付け装置２５は、下部１０に位置する下部留め具３０と、下部１０及び上部１１の境界に位置する中間留め具３１と、自由端１３の近くで上部１１に位置する上部留め具３２とを含む。組み紐２６は、留め具を通って区画１４、１５の間を進み、以下で詳述するように、下部留め具２７、３０の領域でループを形成し、かつ迅速なロックのために装置３３と協働する２本のストランド即ち紐体３４、３５を備える。
【００２８】
図１〜図４に示されているように、ロック装置３３は、組み紐２６の各ストランド(紐体)３４、３５のための通路４２を画定する本体４１と、組み紐２６の各ストランド３４、３５をロック又はロック解除するために通路４２と協働するロック部材４３とを含む。
【００２９】
本発明によれば、ロック部材４３は、回転軸４４に沿って本体４１に対して回転自在に取り付けられ、ロック部材４３は、通路４２内で組み紐２６の各ストランド３４、３５をロックするために備えられたカム表面５０を有し、かつレバー５１は、ロック部材４３に連結され、カム表面によって組み紐２６の各ストランド３４、３５と係合させるために、ロック部材４３を組み紐の各ストランドのロック位置に向かって移動させ、又はロック部材を、組み紐２６の各ストランド３４、３５のロック解除位置に向かって移動させることができ、また、ロック部材は、自由に滑動できる。一例として、ロック部材４３が、継ぎ手４５によって回転軸４４に沿って本体４１に連結されることが認められる。ロック装置３３は、ロック部材が作用しない時に、対向する２つの方向に沿った通路内での組み紐の各ストランドの移動を可能にする。従って、組み紐の引張力を減少させる方向において、容易に、かつ正確に調整することが可能である。そこから生じる利点は、靴の締め付け強度を減少させる方向において微調節が可能となる。もう１つの利点は、組み紐の保護である。実際に、通路４２内の移動の際に、組み紐がこの場合ロック部材４３に対して摩擦を起こさないか、又はごく僅かにしか摩擦を起こさないので、組み紐はごく僅かにしかすり減らない。
【００３０】
迅速ロック装置３３は、靴の締め付け強度がいかなるものであれ、ロック部材３３が作用する時に、組み紐２６の各ストランド３４、３５を締め付ける。従って、組み紐２６の各締め付け部分は、固定位置を保つ。このことにより、使用中に靴の締め付け状態を保つことが可能になる。
【００３１】
ロック装置３３の本体４１は、靴要素１への連結面５２を有する。この面５２は、縫い目５３の形状で示される一体化手段によって表甲３と一体化される。接着、嵌め込み、又はあらゆる同等物のような他の一体化手段を代わりに備えることができる。連結面５２が、表甲３上に、この場合舌片１９上に平らに配置されることが観察される。しかしながらロック装置３３を、舌片上以外の場所に、例えば腰革上に設置するようにすることもできる。
【００３２】
尚、継ぎ手４５の回転軸４４は、連結面５２に垂直であり、かつ通路４２は、連結面５２と平行な方向に延在している。そのために、ロック装置３３の中で、組み紐の各ストランド３４、３５は、連結面５２と平行に案内されることになる。組み紐のストランドは、装置３３の連結面５２が張り付けられるので、表甲３と平行に、ここで更に正確には舌片１９と平行に案内される。このことは、表甲３を締め付け又は緩める操作を容易にする。
【００３３】
ロック装置３３と、組み紐２６との間の協働を最適化する目的で、本体４１は、連結面５２と、外面または自由面５５との間にキャビティ５４を画定し、通路４２は、キャビティ内に、すなわち連結面５２と、自由面５５との間に位置する。これらの面５２、５５は、規則正しい幅ｌ（エル、図４参照）を通路４２に与えるために、例えば互いに平行である。このことは、組み紐２６の各ストランド３４、３５とのロック部材４３の協働を容易にする。
【００３４】
記載された実施形態によれば、通路４２は、ほぼ真っ直ぐである。通路４２がほぼ真っ直ぐに伸長していることにより、組み紐の各ストランド３４、３５に対してロック部材４３によって及ぼされる挟み付け力の変動が、カム表面５０の形状のみによって決まることになる。このことにより、使用者がストランド３４、３５に対して及ぼす挟み付けの効果をより良く知覚できるようになる。その上、ロック部材４３が可変の半径ｒを有することが認められる。カム表面５０が得られるのは、この変動による。図３に示されているように、半径ｒの変動が大きいほど、ロック部材４３がロック位置に推し進められる時に組み紐のストランドの挟み付けが高くなる。
【００３５】
ロック装置３３内のストランドの挟み付け効果及び維持を改良するために、カム表面５０は、ここでは歯５６によって形成される凹凸を有する。補足として、通路４２は、例えば同様に歯５７によって形成される、ロック部材４３に対する表面の凹凸を同様に有し、このことは、その全体的外観において真っ直ぐであることを妨げない。凹凸５６、５７は、組み紐のストランドと、ロック部材との間、並びにストランドと、通路との間の接触面(噛み合い効果)を増加させる。歯５６、５７の形状は、更に確実にロックするために、組み紐が間に位置し、一方が他方と噛み合うことを可能にするために相補的である。最後にストランドが、より良く保持されるので、靴の締め付け具合がより良好になる。
【００３６】
限定するものではないが、通路４２は、継ぎ手４５の回転軸４４と並列に組み紐２６の少なくとも２本のストランド２６を案内する。換言すると、通路４２は、幾つものストランドを案内する。提示した実施形態において、通路は、まさに２本のストランド３４、３５を案内し、かつその幅ｌ(エル)、すなわち連結面と、自由面との間の距離は、組み紐のストランドの直径の２００〜２５０％である。例えば、組み紐が１．５ｍｍの直径になる場合、通路の幅ｌは、３〜３．７５ｍｍである。このことにより組み紐のストランドが、通路４２内の唯一の軌道上に維持される。結果は、同じロック部材４３が、同じカム表面５０により作用して、組み紐の全てのストランドを同時にロックするということである。ここで２本のストランドは、同じ時点に固定化され、このことにより、靴の締め付け操作が簡易になる。
【００３７】
ロック及びロック解除操作を最適化するために、装置３３のレバー５１は、継ぎ手４５の回転軸４４に垂直である。その結果、あらゆるロック又はロック解除動作が、連結面５２と平行に、かつそれ故に舌片１９にも平行に、又は更に一般的には、表甲３と平行に行われることになる。通路４２内でロック部材は、ストランド３４、３５に対して連結面５２と平行に作用するので、ロック又はロック解除動作は、レバー５１からカム表面５０に直接伝達される。レバー５１に対する各手動動作は、ストランドのロック又はロック解除のトルクを作り出す。例えば、レバー５１がロック部材４３の最大半径ｒと等しいか、３倍の長さＲを有することができる。このことは、使用者によって作用させるロック力又はロック解除力を低減させることができる。
【００３８】
限定するものではないが、記載した実施形態により、レバー５１及びロック部材４３は、一体型部品を形成するようにしてもよい。一体型部品は、例えばプラスチック材料、金属材料又はその他材料から構成される。
【００３９】
最終的に、以上に記載した構造は、ロック装置３３の使用、及びそれ故に靴要素１の締め付け又は緩めることを簡易かつ迅速にする。図２に良好に示すように、ストランド３４、３５のロック解除は、レバー５１が矢印Ｆ１に沿ったロック解除方向に推し進められる時に得られる。この場合に、カム表面５０は、通路４２から遠ざけられ、かつ組み紐２６のストランド３４、３５と噛み合わないか、もはや噛み合わない。このことは、ストランドが、その場合に通路４２内を自由に摺動することを意味する。歯５６、５７は、後退しており、かつストランドの移動を妨げない。従って、通路４２内の移動によって、各ストランドを引っ張るか、又は緩めることが可能である。相関的に、上靴１の表甲は、多少締め付けられる。ストランドの各移動は、カム表面に対する摩擦なしに、かつそれ故に組み紐の摩耗なしに行われる。このことにより、組み紐の寿命が延びる。
【００４０】
反対に、図３で見られるように、ストランド３４、３５のロックは、レバー５１が矢印Ｆ２に沿った、ロック解除方向と反対のロック方向に推し進められる時に得られる。この場合に、カム表面５０は、通路４２内で組み紐２６のストランド３４、３５と噛み合う。換言すると、ロック部材４３は、ストランド３４、３５に対して圧力を及ぼす。この場合に組み紐２６の有効長、留め具２７〜３２の間を進む長さが、固定される。上靴１の締め付けレベルは、一定である。
【００４１】
限定するものではないが、本体４１は、矢印Ｆ２に沿ったロック方向においてレバー５１の回転を制限する第１止め具６１と、矢印Ｆ１に沿ったロック解除方向においてレバー５１の回転を制限する第２止め具６２とを画定する。このことは、使用者にロック装置の動作に関する情報を明瞭に与える。すなわち、レバー５１がロック止め具６１と接触するならば、その場合上靴の締め付けレベルは、維持されるが、レバー５１がロック解除止め具６２と接触するならば、その場合上靴の締め付けレベルは、零である。
【００４２】
一例として、一方の止め具６１、６２から他方への回転行程は、７０〜１２０°の角度αの値に従ってなされる。このことによりレバー５１の容易な操作が可能になる。
【００４３】
ロック装置３３の構造は、レバー５１が連結面５２と、自由面５５との間に含まれる平面内で回転移動するようになっていることが観察される。当然の結果として、レバー５１は、連結面５２から自由面５５に向かう方向で、すなわち同様に舌片１９に垂直な方向で、かつ舌片から遠ざかる方向において、本体４１の外側に決して突出しない。そこから生じる利点は、上靴１が外部被覆内に設置され、靴を形成する時、レバー５１の操作が、容易なことである。ロック装置３３は、外部被覆に向かってほとんど突出しないために、非常に薄くなるように、すなわち僅かな全体的厚さにより構成される。
【００４４】
いずれにせよ、本発明は、当業者に知られた材料、及び実装技法によって実施される。
【００４５】
当然に、本発明は、以上に記載した実施形態に限定されず、添付の特許請求の範囲に入り得る全ての技術的同等物を含む。
【００４６】
例えば、カム表面が規則的でない構造でも良く、また歯の構造でなくても良く、又は通路４２が、完全に規則的な表面を有していてもよい。
【図１】
2013146560.tif 000003
【図２】
2013146560.tif 000004
【図３】
2013146560.tif 000005
【図４】
2013146560.tif 000006